(57)【特許請求の範囲】
【請求項１】
温度測定対象物に塗布または接着した感温蛍光材料に所定波長の入力光を照射して、前記入力光によって誘起された誘起光の輝度の変化に基づいて前記温度測定対象物の温度を測定する、誘起蛍光法を用いた温度測定装置であって、
前記所定波長の前記入力光を、前記感温蛍光材料、または前記感温蛍光材料と前記温度測定対象物、に向けて照射する光源と、
撮像素子の所定領域には前記誘起光が入力され、前記撮像素子の残りの領域の少なくとも一部には前記感温蛍光材料または前記温度測定対象物にて反射された前記入力光の反射光が前記誘起光と同時に入力される撮像装置と、
前記撮像装置にて撮像した前記反射光の輝度に対する前記誘起光の輝度の比、の変化に基づいて前記温度測定対象物の温度を求める処理装置と、
前記入力光が照射された前記感温蛍光材料の個所から発せられる前記誘起光と前記反射光を含む光の中から前記反射光を遮断して前記誘起光を透過する第１フィルタと、
を有し、
前記光源は、前記感温蛍光材料が塗布または接着されている個所と、前記感温蛍光材料が塗布または接着されていない個所と、に同時に前記入力光を照射し、
前記撮像素子の前記所定領域には、前記感温蛍光材料が塗布または接着されている個所であって前記入力光が照射されている個所、から発せられた光であって前記第１フィルタを通過させた光である前記誘起光が入力され、
前記撮像素子の前記残りの領域の少なくとも一部には、前記感温蛍光材料が塗布または接着されていない個所であって前記入力光が照射されている個所、から発せられた光である前記反射光が入力されている、
誘起蛍光法を用いた温度測定装置。
【請求項２】
温度測定対象物に塗布または接着した感温蛍光材料に所定波長の入力光を照射して、前記入力光によって誘起された誘起光の輝度の変化に基づいて前記温度測定対象物の温度を測定する、誘起蛍光法を用いた温度測定方法であって、
前記所定波長の前記入力光を、前記感温蛍光材料、または前記感温蛍光材料と前記温度測定対象物、に向けて照射する光源と、
撮像素子の所定領域には前記誘起光が入力され、前記撮像素子の残りの領域の少なくとも一部には前記感温蛍光材料または前記温度測定対象物にて反射された前記入力光の反射光が前記誘起光と同時に入力される撮像装置と、
前記撮像装置にて撮像した前記反射光の輝度に対する前記誘起光の輝度の比、の変化に基づいて前記温度測定対象物の温度を求める処理装置と、
前記入力光が照射された前記感温蛍光材料の個所から発せられる前記誘起光と前記反射光を含む光の中から前記反射光を遮断して前記誘起光を透過する第１フィルタと、
を用い、
前記光源を用いて、前記感温蛍光材料が塗布または接着されている個所と、前記感温蛍光材料が塗布または接着されていない個所と、に同時に前記入力光を照射する入力光照射ステップと、
前記撮像装置を用いて、前記感温蛍光材料が塗布または接着されている個所であって前記入力光が照射されている個所、から発せられた光であって前記第１フィルタを通過させた光である前記誘起光が入力されている前記撮像素子の前記所定領域の個所の輝度と、前記感温蛍光材料が塗布または接着されていない個所であって前記入力光が照射されている個所、から発せられた光である前記反射光が入力されている前記撮像素子の前記残りの領域の少なくとも一部の個所の輝度と、を測定する輝度測定ステップと、
前記処理装置を用いて、前記反射光の輝度に対する前記誘起光の輝度の比、の変化に基づいて前記温度測定対象物の温度を求める温度測定ステップと、を有する、
誘起蛍光法を用いた温度測定方法。
【発明の詳細な説明】
【技術分野】
【０００１】
本発明は、感温蛍光材料が塗布または接着された温度測定対象物にレーザ光等の入力光を照射し、当該入力光によって誘起された誘起光の輝度の変化に基づいて温度測定対象物の温度を測定する、誘起蛍光法を用いた温度測定装置、及び誘起蛍光法を用いた温度測定方法に関する。
【背景技術】
【０００２】
例えば軸受の部品等、オイルに浸かっている部品や、潤滑油にまみれている部品の使用状態において、その部品の温度分布（発熱状態）をリアルタイムに計測したいという要望がある。このような場合、従来の熱電対のような接触式の温度計測装置では、使用状態においてリアルタイムに計測することができない。また非接触式の温度計測方法として、赤外線を検出する従来の放射温度計を用いた方法では、対象物体の表面の温度しか計測できないので、表面にオイル等が付着していると、表面のオイルの温度が計測されてしまい、対象とする部品の正しい温度を計測することができない。
【０００３】
そこで特許文献１には、蛍光発光効率が第１温度依存特性を有する第１感温蛍光材料と、蛍光発光効率が第２温度依存特性を有する第２感温蛍光材料と、を混合した混合感温蛍光材料を用いた温度測定方法が開示されている。温度測定対象物に混合感温蛍光材料を付着させ、当該混合感温蛍光材料に紫外発光ＬＥＤから入力光を照射し、第１感温蛍光材料からの第１誘起光の輝度と、第２感温蛍光材料からの第２誘起光の輝度と、を検出し、第１誘起光の輝度に対する第２誘起光の輝度の比に基づいて、温度測定対象物の温度を求めている。
【先行技術文献】
【特許文献】
【０００４】
【特許文献１】特開２００６−１２６０１４号公報
【発明の概要】
【発明が解決しようとする課題】
【０００５】
特許文献１では、（１つの）入力光から、第１誘起光と第２誘起光の２通りの誘起光を発生させ、第１誘起光の輝度に対する第２誘起光の輝度の比に基づいて温度測定対象物の温度を測定している。従って、入力光を照射する光源から温度測定対象物までの間に存在する外乱（入力光の揺らぎや、空気の気流等）の影響をキャンセルできる。しかし、２種類の感温蛍光材料を混合している点で、以下の（ａ）〜（ｃ）のデメリットが懸念される。
（ａ）２種類の感温蛍光材料を混合する場合、水等の媒体を使って混合することになるが、媒体と第１感温蛍光材料、媒体と第２感温蛍光材料、が化学反応しないように相性を検証しなければならない。化学反応した場合は期待する輝度が得られない可能性がある。
（ｂ）２種類の感温蛍光材料である第１感温蛍光材料と第２感温蛍光材料が、混合によって互いに化学反応しないように相性を検証しなければならない。化学反応した場合は期待する輝度が得られない可能性がある。
（ｃ）水を媒体とした場合、媒体中の塩素が影響して化学反応等が発生する可能性がある。一般的な水道水は、地域や季節等で塩素の割合が異なる場合があるので、安定した特性の混合感温蛍光材料を得られない可能性がある。
【０００６】
本発明は、このような点に鑑みて創案されたものであり、２種類の感温蛍光材料を混合することなく単一の感温蛍光材料を用いて安定した特性を得ることが可能であり、外乱の影響を受けることなく、より正確に温度測定対象物の温度を非接触でリアルタイムに測定することができる、誘起蛍光法を用いた温度測定装置、及び誘起蛍光法を用いた温度測定方法を提供することを課題とする。
【課題を解決するための手段】
【０００７】
上記課題を解決するため、本発明に係る誘起蛍光法を用いた温度測定装置及び誘起蛍光法を用いた温度測定方法は、次の手段をとる。まず、本発明の第１の発明は、温度測定対象物に塗布または接着した感温蛍光材料に所定波長の入力光を照射して、前記入力光によって誘起された誘起光の輝度の変化に基づいて前記温度測定対象物の温度を測定する、誘起蛍光法を用いた温度測定装置であって、前記所定波長の前記入力光を、前記感温蛍光材料、または前記感温蛍光材料と前記温度測定対象物、に向けて照射する光源と、撮像素子の所定領域には前記誘起光が入力され、前記撮像素子の残りの領域の少なくとも一部には前記感温蛍光材料または前記温度測定対象物にて反射された前記入力光の反射光が前記誘起光と同時に入力される撮像装置と、前記撮像装置にて撮像した前記反射光の輝度に対する前記誘起光の輝度の比、の変化に基づいて前記温度測定対象物の温度を求める処理装置と、を有する。
【０００８】
次に、本発明の第２の発明は、上記第１の発明に係る誘起蛍光法を用いた温度測定装置であって、前記入力光が照射された前記感温蛍光材料の個所から発せられる前記誘起光と前記反射光を含む光の中から前記反射光を遮断して前記誘起光を透過する第１フィルタを備えている。そして、前記光源は、前記感温蛍光材料が塗布または接着されている個所と、前記感温蛍光材料が塗布または接着されていない個所と、に同時に前記入力光を照射し、前記撮像素子の前記所定領域には、前記感温蛍光材料が塗布または接着されている個所であって前記入力光が照射されている個所、から発せられた光であって前記第１フィルタを通過させた光である前記誘起光が入力され、前記撮像素子の前記残りの領域の少なくとも一部には、前記感温蛍光材料が塗布または接着されていない個所であって前記入力光が照射されている個所、から発せられた光である前記反射光が入力されている。
【０００９】
次に、本発明の第３の発明は、上記第１の発明に係る誘起蛍光法を用いた温度測定装置であって、前記入力光が照射された前記感温蛍光材料の個所から発せられる前記誘起光と前記反射光を含む光の中から前記反射光を遮断して前記誘起光を透過する第１フィルタと、前記入力光が照射された前記感温蛍光材料の個所から発せられる前記誘起光と前記反射光を含む光の中から前記誘起光を遮断して前記反射光を透過する第２フィルタと、を備えている。そして、前記光源は、前記感温蛍光材料が塗布または接着されている個所に前記入力光を照射し、前記撮像素子の前記所定領域には、前記感温蛍光材料が塗布または接着されている個所であって前記入力光が照射されている個所、から発せられた光であって前記第１フィルタを通過させた光である前記誘起光が入力され、前記撮像素子の前記残りの領域の少なくとも一部には、前記感温蛍光材料が塗布または接着されている個所であって前記入力光が照射されている個所、から発せられた光であって前記第２フィルタを通過させた光である前記反射光が入力されている。
【００１０】
次に、本発明の第４の発明は、誘起蛍光法を用いた温度測定方法であって、温度測定対象物に塗布または接着した感温蛍光材料、または前記感温蛍光材料と前記温度測定対象物、に所定波長の入力光を照射する入力光照射ステップと、前記入力光が照射された前記感温蛍光材料から発せられる誘起光の輝度と、前記入力光が照射された前記感温蛍光材料または前記入力光が照射された前記温度測定対象物、から発せられる反射光であって前記誘起光と同時に発せられる前記反射光の輝度と、を測定する輝度測定ステップと、前記反射光の輝度に対する前記誘起光の輝度の比、の変化に基づいて前記温度測定対象物の温度を求める温度測定ステップと、を有する。
【発明の効果】
【００１１】
第１の発明によれば、撮像素子の所定領域に誘起光が入力され、撮像素子の残りの領域の少なくとも一部に反射光が入力され、誘起光と反射光が同時に入力される。そして反射光の輝度に対する誘起光の輝度の比の変化に基づいて温度測定対象物の温度を算出する。従って、２種類の感温蛍光材料を混合する必要が無く、単一の感温蛍光材料を用いて安定した特性を得ることができる。また、「誘起光の輝度／入力光の輝度」ではなく「誘起光の輝度／反射光の輝度」の変化に基づいて温度測定対象物の温度を求めることで、外乱の影響を受けないようにすることができる。
【００１２】
第２の発明によれば、撮像素子の所定領域に適切に誘起光を入力し、撮像素子の残りの領域の少なくとも一部に適切に反射光を入力することができるとともに、誘起光と反射光を同時に撮像素子に入力することができる。従って、誘起光の輝度／反射光の輝度を適切に求めることができる。
【００１３】
第３の発明によれば、撮像素子の所定領域に適切に誘起光を入力し、撮像素子の残りの領域の少なくとも一部に適切に反射光を入力することができるとともに、誘起光と反射光を同時に撮像素子に入力することができる。従って、誘起光の輝度／反射光の輝度を適切に求めることができる。
【００１４】
第４の発明によれば、２種類の感温蛍光材料を混合する必要が無く、単一の感温蛍光材料を用いて、誘起光の輝度／反射光の輝度、の変化に基づいて温度測定対象物の温度を求める、誘起蛍光法を用いた温度測定方法を適切に実現することができる。
【図面の簡単な説明】
【００１５】
【図１】第１の実施の形態における（誘起蛍光法を用いた）温度測定装置の全体構成を説明する図である。
【図２】第１の実施の形態における（誘起蛍光法を用いた）温度測定装置の処理装置の処理手順の例を説明するフローチャートである。
【図３】誘起蛍光法を用いた従来の温度測定装置において、理想状態の温度測定結果を説明する図である。
【図４】誘起蛍光法を用いた従来の温度測定装置において、外乱等が発生した実際の状態の温度測定結果を説明する図である。
【図５】第１の実施の形態における（誘起蛍光法を用いた）温度測定装置において、外乱等が発生した実際の状態の温度測定結果を説明する図である。
【図６】第２の実施の形態における（誘起蛍光法を用いた）温度測定装置の全体構成を説明する図である。
【図７】第３の実施の形態における（誘起蛍光法を用いた）温度測定装置の全体構成を説明する図である。
【発明を実施するための形態】
【００１６】
以下、本発明の実施の形態を、図面を用いて順に説明する。
●［第１の実施の形態における、誘起蛍光法を用いた温度測定装置の全体構成（図１）］
誘起蛍光法を用いた温度測定装置１（以下、温度測定装置１と記載する）の第１の実施の形態は、図１に示すように、光源１０と、第１フィルタ３１と、撮像装置４０と、処理装置５０等にて構成されている。また温度測定対象物８０には感温蛍光材料２０が塗布または接着されている。
【００１７】
光源１０は、例えばレーザ光を出射するレーザ光源であり、所定波長（例えば５３２［ｎｍ］）の入力光Ｌｅｘｃを、温度測定対象物８０に塗布または接着された感温蛍光材料２０の個所、及び感温蛍光材料２０が塗布または接着されていない個所、に照射する。図１の例では、入力光Ｌｅｘｃが照射されている領域ＲＡは、感温蛍光材料２０が塗布または接着されている個所であり、入力光Ｌｅｘｃが照射されている領域ＲＢは、感温蛍光材料２０が塗布または接着されていない個所である。領域ＲＡからは、誘起光Ｌｉｎｄと反射光Ｌｒｅｆとを含む混合光Ｌｍｉｘが発せられ、領域ＲＢからは、反射光Ｌｒｅｆが発せられる。
【００１８】
感温蛍光材料２０は、例えばローダミンＢ（登録商標）であり、所定波長の入力光Ｌｅｘｃが照射されると、入力光Ｌｅｘｃとは異なる波長の誘起光Ｌｉｎｄを発する。そして誘起光Ｌｉｎｄの輝度は、当該感温蛍光材料２０が塗布されている温度測定対象物８０の温度に応じて変化する。例えば入力光Ｌｅｘｃの波長が５３２［ｎｍ］の場合、誘起光Ｌｉｎｄの波長は約６７０［ｎｍ］〜６８０［ｎｍ］である。なお感温蛍光材料２０は、ユーザが複数の感温蛍光材料を混合したものではなく、単一の（市販されている）感温蛍光材料であり、安定した特性を有している。
【００１９】
温度測定対象物８０は、図１に示す例では円錐ころである。そして図１に示す例では、感温蛍光材料２０は、当該円錐ころの大径端面８１の中央部を除いた周辺部（ドットを施した部分）にドーナツ状に塗布されている。なお図１中に（）で示すように、円錐ころの大径端面８１における周辺部を除いた中央部（ドットを施した部分）に感温蛍光材料２０を塗布するようにしてもよい。円錐ころの場合、大径端面の周辺部は軌道輪の鍔部とすべり接触し、大径端面の中央部は軌道輪と接触することなく露出している。従って、大径端面の中央部に感温蛍光材料を塗布した場合、感温蛍光材料がはがれることがない。
【００２０】
第１フィルタ３１は、領域ＲＡと撮像装置４０との間に配置され、領域ＲＡから発せられる混合光Ｌｍｉｘの中から反射光Ｌｒｅｆを遮断し、誘起光Ｌｉｎｄを透過する。
【００２１】
撮像装置４０は、例えばＣＣＤカメラであり、撮像素子４１を有している。撮像素子４１における所定領域である領域４１Ａには、領域ＲＡから発せられて第１フィルタ３１を透過してきた誘起光Ｌｉｎｄが入力される。撮像素子４１における残りの領域の少なくとも一部である領域４１Ｂには、領域ＲＢから発せられた反射光Ｌｒｅｆが入力される。そして撮像装置４０は、所定のタイミングにて撮像し、領域４１Ａに誘起光Ｌｉｎｄが撮像されて領域４１Ｂに反射光Ｌｒｅｆが撮像された画像データを処理装置５０に出力する。
【００２２】
処理装置５０は、例えばパーソナルコンピュータであり、撮像装置４０から取得した画像データに撮像されている反射光Ｌｒｅｆの輝度に対する誘起光Ｌｉｎｄの輝度、の変化に基づいて、温度測定対象物８０の温度を算出する。なお、処理装置５０の処理手順の詳細については以下にて説明する。
【００２３】
●［処理装置５０の処理手順（図２）と、測定した温度の例（図５）］
例えば図１に示す温度測定装置１の光源１０と撮像装置４０は、円錐ころ軸受における円錐ころの大径端面８１が露出している個所に向けられている。そして各円錐ころの大径端面８１には、図１に示すように感温蛍光材料２０が塗布されている。そして温度測定装置１は、円錐ころ軸受の動作中（内輪または外輪を回転させて、各円錐ころが自転しながら公転している状態）に、以下に説明する手順にて、所定のタイミングで円錐ころの温度を測定する。なお図２のフローチャートにて示す制御プログラムは、処理装置５０の記憶装置に記憶されている。
【００２４】
処理装置５０が起動されて制御プログラムが実行されると、処理装置５０は、ステップＳ１０に処理を進める。
【００２５】
ステップＳ１０にて処理装置５０は、光源１０を制御して入力光Ｌｅｘｃの照射を開始し、ステップＳ２０に進む。ステップＳ１０は入力光照射ステップに相当している。
【００２６】
ステップＳ２０にて処理装置５０は、測定タイミングであるか否かを判定し、測定タイミングである場合（Ｙｅｓ）はステップＳ３０に進み、測定タイミングでない場合（Ｎｏ）はステップＳ２０に戻る。例えば測定タイミングは、光源１０と撮像装置４０が向けられている所定位置に、自転しながら公転している円錐ころが到達したタイミングである。なお、円錐ころ軸受の内輪と外輪を互いに異なる方向に回転させるとともに、各円錐ころの公転が止まるようにそれぞれの回転速度を調整して、円錐ころがその場で自転するようにすれば、所定時間毎のタイミングを測定タイミングとすることもできる。
【００２７】
ステップＳ３０に進んだ場合、処理装置５０は、撮像装置４０から画像データを取り込み、ステップＳ４０に進む。
【００２８】
ステップＳ４０にて処理装置５０は、取り込んだ画像データの領域４１Ａ（図１参照）に撮像されている誘起光Ｌｉｎｄの輝度を求め、ステップＳ５０に進む。
【００２９】
ステップＳ５０にて処理装置５０は、取り込んだ画像データの領域４１Ｂ（図１参照）に撮像されている反射光Ｌｒｅｆの輝度を求め、ステップＳ６０に進む。上記のステップＳ３０〜Ｓ５０は輝度測定ステップに相当している。
【００３０】
ステップＳ６０にて処理装置５０は、ステップＳ５０にて求めた反射光Ｌｒｅｆの輝度に対する、ステップＳ４０にて求めた誘起光Ｌｉｎｄの輝度、の比（「誘起光Ｌｉｎｄの輝度」／「反射光Ｌｒｅｆの輝度」）を求め、求めた比の変化に基づいて温度測定対象物８０の温度を求め、ステップＳ７０に進む。ステップＳ６０は温度測定ステップに相当している。
【００３１】
ステップＳ７０にて処理装置５０は、測定終了の指示があるか否かを判定し、測定終了の指示がある場合（Ｙｅｓ）はステップＳ８０に進み、測定終了の指示がない場合（Ｎｏ）はステップＳ２０に戻る。
【００３２】
ステップＳ８０に進んだ場合、処理装置５０は、光源１０を制御して入力光Ｌｅｘｃの照射を停止し、処理を終了する。
【００３３】
●［従来の温度測定方法にて測定した温度の例（図３、図４）］
従来の温度測定方法では、「誘起光Ｌｉｎｄの輝度」／「入力光Ｌｅｘｃの輝度」の変化に基づいて温度測定対象物の温度を測定している。図３に示す［輝度特性］は、上記の従来の温度測定方法で求めた場合における理想状態の場合であり、入力光Ｌｅｘｃの輝度が揺らぐことなく安定した理想状態であり、誘起光Ｌｉｎｄの輝度が外乱等の影響を受けることなく滑らかに上昇している理想状態を示している。この場合、「誘起光Ｌｉｎｄの輝度」／「入力光Ｌｅｘｃの輝度」の変化は滑らかに上昇しており、「誘起光Ｌｉｎｄの輝度」／「入力光Ｌｅｘｃの輝度」の変化に基づいて求めた温度も、図３の［温度特性］に示すように、滑らかに上昇する傾向を有している。
【００３４】
例えば図３に示す［輝度特性］において、時刻ｔ１にて入力光Ｌｅｘｃが輝度ｂ１、誘起光Ｌｉｎｄが輝度Ｂ１であった場合に、熱電対等を用いて実際に計測した温度が温度ｍ１であったとする。この「輝度ｂ１、輝度Ｂ１、温度ｍ１」を基準温度として、時刻ｔ２にて入力光Ｌｅｘｃが輝度ｂ１、誘起光Ｌｉｎｄが輝度Ｂ２であった場合、輝度の比の変化である［輝度Ｂ１／輝度ｂ１］−［輝度Ｂ２／輝度ｂ１］より、基準温度（温度ｍ１）からの温度の変化量（Δｍ）を求める。そして求めたΔｍを温度ｍ１に加算して温度ｍ２を求める。
【００３５】
図３に示す［輝度特性］と［温度特性］は、従来の温度測定方法であって理想状態の場合の例を示している。しかし図４に示すように、実際に温度測定対象物に照射された入力光Ｌｅｘｃの輝度は直線状に安定しているのでなく脈打つように揺らいでおり、実際の誘起光Ｌｉｎｄの輝度は入力光Ｌｅｘｃの揺らぎに応じて揺らぐとともに、外乱の影響を受ける。例えば図４に示す［輝度特性］の例では、時刻ｔ２にて外乱Ｇ１の影響で誘起光Ｌｉｎｄの輝度Ｂ２´が落ち込んだ場合の例を示している。
【００３６】
例えば外乱Ｇ１は、時刻ｔ２にて入力光が照射された感温蛍光材料の位置においてオイルの付着量が多くなった場合等が考えられる。オイルの付着量が多くなった場合、感温蛍光材料に達する入力光Ｌｅｘｃが減衰するので、誘起光Ｌｉｎｄの発生量が減少する。図４における時刻ｔ２では、入力光Ｌｅｘｃは輝度ｂ２´であるが、誘起光Ｌｉｎｄは外乱Ｇ１の影響を受けて輝度Ｂ２´に減少し、求めた温度は温度ｍ２´となっている。つまり時刻ｔ２では、外乱Ｇ１の影響によって、測定した温度ｍ２´は本来の温度に対して低い温度と判定されている。外乱Ｇ１の他の例としては、光源と温度測定対象物との間の空間の気流の乱れや、温度測定対象物と撮像装置との間にガラス板等が介在している場合、ガラス板の表面に付着した水滴等がある。また温度測定対象物が液体中にある場合、温度測定対象物と撮像装置との間の液体中に漂う微細なゴミや気泡等も外乱Ｇ１となる。またガラス表面に付着した水滴による外乱の場合は、水滴によって光が集光され、輝度が上昇する場合もある。
【００３７】
このように、「誘起光Ｌｉｎｄの輝度」／「入力光Ｌｅｘｃの輝度」の変化に基づいて温度測定対象物の温度を測定する従来の温度測定方法では、図４の例に示すように、光源から温度測定対象物までの間に存在する外乱の影響を受けやすく、温度測定の精度が低い。なお外乱には、上記の例に示したように、入力光の輝度の揺らぎ、感温蛍光材料の表面への付着物や、光源から温度測定対象物までの間の空間の気流の変化等、種々のものがある。しかし上記に説明した第１の実施の形態の温度測定装置１では、これらの外乱の影響を受けず、より精度良く温度を測定できる。その例を以下に説明する。
【００３８】
●［本願の温度測定方法（図２の処理手順）にて測定した温度の例（図５）］
本願では、「誘起光Ｌｉｎｄの輝度」／「入力光Ｌｅｘｃの輝度」の変化に基づいて温度測定対象物の温度を測定する従来の温度測定方法とは異なり、「誘起光Ｌｉｎｄの輝度」／「反射光Ｌｒｅｆの輝度」の変化に基づいて温度測定対象物の温度を測定する。
【００３９】
図５の［輝度特性］の例に示すように、図４の場合と同様に時刻ｔ２で外乱Ｇ１の影響により誘起光Ｌｉｎｄの輝度Ｂ２´が落ち込んだ場合、反射光Ｌｒｅｆの輝度ｒ２´も同様に落ち込む。従って、「誘起光Ｌｉｎｄの輝度」／「反射光Ｌｒｅｆの輝度」の変化に基づいて求めた温度は、図５の［温度特性］の時刻ｔ２の温度ｍ２´に示すように、外乱Ｇ１の影響を受けず、従来よりも精度良い温度を示す。計測された反射光Ｌｒｅｆの揺らぎや落ち込みと、誘起光Ｌｉｎｄの揺らぎや落ち込みと、は一致するので、これらの影響を適切に排除することができる。また、本願では、「誘起光Ｌｉｎｄの輝度」／「反射光Ｌｒｅｆの輝度」の変化に基づいて温度を求めるので、光源及び撮像装置から温度測定対象物までの距離の変化の影響を受けない。従って、光源及び撮像装置と、温度測定対象物との間の距離が時間とともに変化する動的物体に対して、非接触のリアルタイムな温度測定にも適用することができる。
【００４０】
また本願の温度測定装置１では、特開２００６−１２６０１４号公報とは異なり、２種類の感温蛍光材料を混合する必要がなく、単一の感温蛍光材料２０を用いている。従って、２種類の感温蛍光材料同士の化学反応や、混合する際の媒体である水等との化学反応や、水等の媒体中の塩素等の影響を受けず、安定した輝度を得ることが可能であり、より精度良く温度測定対象物の温度を測定することができる。
【００４１】
●［第２の実施の形態における、誘起蛍光法を用いた温度測定装置の全体構成（図６）］
図６に示す第２の実施の形態の温度測定装置１Ｂは、図１に示す第１の実施の形態の温度測定装置１に対して、感温蛍光材料２０が大径端面８１の全面に塗布（または接着）されている点と、第２フィルタ３２が追加されている点が異なる。以下、これらの相違点について主に説明する。
【００４２】
感温蛍光材料２０は、大径端面８１の全面に塗布（または接着）されているので、入力光Ｌｅｘｃが照射されている領域ＲＣ、領域ＲＤは、ともに感温蛍光材料２０が塗布または接着されている個所である。従って、領域ＲＣ、ＲＤからは、誘起光Ｌｉｎｄと反射光Ｌｒｅｆとを含む混合光Ｌｍｉｘが発せられる。
【００４３】
第１フィルタ３１は、領域ＲＣと撮像装置４０との間に配置され、領域ＲＣから発せられる混合光Ｌｍｉｘの中から反射光Ｌｒｅｆを遮断し、誘起光Ｌｉｎｄを透過する。第２フィルタ３２は、領域ＲＤと撮像装置４０との間に配置され、領域ＲＤから発せられる混合光Ｌｍｉｘの中から誘起光Ｌｉｎｄを遮断し、反射光Ｌｒｅｆを透過する。
【００４４】
撮像素子４１における所定領域である領域４１Ａには、領域ＲＣから発せられて第１フィルタ３１を透過してきた誘起光Ｌｉｎｄが入力される。撮像素子４１における残りの領域の少なくとも一部である領域４１Ｂには、領域ＲＤから発せられて第２フィルタ３２を透過してきた反射光Ｌｒｅｆが入力される。
【００４５】
処理装置５０の処理手順を含むその他の点については、第１の実施の形態と同じであるので、説明を省略する。
【００４６】
●［第３の実施の形態における、誘起蛍光法を用いた温度測定装置の全体構成（図７）］
図７に示す第３の実施の形態の温度測定装置１Ｃは、図１に示す第１の実施の形態の温度測定装置１に対して、感温蛍光材料２０が大径端面８１の全面に塗布（または接着）されている点と、図１に示す第１フィルタ３１が、第１フィルタ３１と第２フィルタ３２とを有するフィルタ３０に変更されている点が異なる。以下、これらの相違点について主に説明する。
【００４７】
感温蛍光材料２０は、大径端面８１の全面に塗布（または接着）されているので、入力光Ｌｅｘｃが照射されている領域ＲＥは、感温蛍光材料２０が塗布または接着されている個所である。従って、領域ＲＥからは、誘起光Ｌｉｎｄと反射光Ｌｒｅｆとを含む混合光Ｌｍｉｘが発せられる。
【００４８】
フィルタ３０は、例えば略円形であり、領域ＲＥと撮像装置４０との間に配置され、中央部が第２フィルタ３２で構成され、周辺部が第１フィルタ３１で構成されている。第１フィルタ３１は、領域ＲＥから発せられる混合光Ｌｍｉｘの中から反射光Ｌｒｅｆを遮断し、誘起光Ｌｉｎｄを透過する。第２フィルタ３２は、領域ＲＥから発せられる混合光Ｌｍｉｘの中から誘起光Ｌｉｎｄを遮断し、反射光Ｌｒｅｆを透過する。
【００４９】
撮像素子４１における所定領域である領域４１Ａには、領域ＲＥから発せられて第１フィルタ３１を透過してきた誘起光Ｌｉｎｄが入力される。撮像素子４１における残りの領域の少なくとも一部である領域４１Ｂには、領域ＲＥから発せられて第２フィルタ３２を透過してきた反射光Ｌｒｅｆが入力される。
【００５０】
処理装置５０の処理手順を含むその他の点については、第１の実施の形態と同じであるので、説明を省略する。
【００５１】
本発明の誘起蛍光法を用いた温度測定装置は、本実施の形態にて説明した構成、処理手順等に限定されるものではなく、本発明の要旨を変更しない範囲で種々の変更、追加、削除が可能である。
【００５２】
本実施の形態の説明では、円錐ころ軸受の円錐ころの温度測定に適用した例を説明したが、これに限定されず、転がり軸受の保持器等、種々の温度測定対象物の温度測定に適用することが可能である。
【００５３】
また、本実施の形態の説明に用いた数値は一例であり、この数値に限定されるものではない。
【符号の説明】
【００５４】
１、１Ｂ、１Ｃ    （誘起蛍光法を用いた）温度測定装置
１０      光源
２０      感温蛍光材料
３０      フィルタ
３１      第１フィルタ
３２      第２フィルタ
４０      撮像装置
４１      撮像素子
４１Ａ    領域（所定領域）
４１Ｂ    領域（残りの領域の少なくとも一部）
５０      処理装置
８０      温度測定対象物
Ｌｅｘｃ  入力光
Ｌｉｎｄ  誘起光
Ｌｍｉｘ  混合光
Ｌｒｅｆ  反射光
【図１】
0006520384.tif 000002
【図２】
0006520384.tif 000003
【図３】
0006520384.tif 000004
【図４】
0006520384.tif 000005
【図５】
0006520384.tif 000006
【図６】
0006520384.tif 000007
【図７】
0006520384.tif 000008